(57)【要約】【課題】前面パネルがモータや回転ギアを組み合わせて構成された開閉機構により開閉動作する空気調和機の室内ユニットの場合には、前面パネルの閉動作時において前面パネルを備え付けている吸入グリルが開閉動作をさせる駆動ギアにより、前面枠に引き寄せられると同時に上へ跳ね上がるということを防止しする。【解決手段】前面パネルを備え付けた吸入グリルに具備する開閉軸を固定する円弧状の固定リブに対向して前面枠に当てリブを設けると同時に、その当てリブに相対して、吸入グリルに具備する開閉軸を押え込むように前面枠に受けリブを設けることにより、前面パネルの閉動作時においてモータや回転ギアを組み合わせて構成された開閉機構により、吸入グリルが前面枠に引き寄せられても上へ跳ね上がるのを防止する。【選択図】図１ 
2005147617.tif 000002
【特許請求の範囲】
【請求項１】
吸入グリルに備え付けられた前面パネルの閉動作時において、モータや回転ギアを組み合わせて構成された開閉機構により、前記前面パネルを備え付けた前記吸入グリルが開閉動作を伝える駆動ギアにより、閉時に前面枠に引き寄せられる空気調和機において、前記前面枠に備え付けられた前記吸入グリルに具備する開閉軸を固定する円弧状の固定リブに対向して前記前面枠に当てリブを設けたことを特徴とする空気調和機。
【請求項２】
前面枠に設けた当てリブに相対して、吸入グリルに具備する開閉軸を押え込むように前記前面枠に受けリブを設けたことを特徴とする、請求項１記載の空気調和機。
【請求項３】
前面枠に設けた当てリブは、開閉軸を固定する円弧状の固定リブの略上面部に当接し、なおかつ当接面より下側は傾斜面をもつことを特徴とする、請求項１記載の空気調和機。
【請求項４】
吸入グリルに具備する開閉軸を押え込むように前面枠に設けた受けリブは、前記開閉軸を押込む面が前記開閉軸と略同円弧状であることを特徴とする、請求項１記載の空気調和機。
【請求項５】
開閉軸を固定する円弧状の固定リブが回転中心である支点を中心に回動するとき前記開閉軸の中心軸が前記当てリブの頂点よりも下位に位置したことを特徴とする、請求項１記載の空気調和機。
【請求項６】
開閉軸が回転中心である支点を中心に回動するとき、前記開閉軸の中心軸が前記受けリブの頂点よりも下位に位置することを特徴とする、請求項１記載の空気調和機。
【発明の詳細な説明】
【技術分野】
【０００１】
本発明は空気調和機に関し、さらに詳しくは空気調和機の室内ユニットの前面パネルが開閉する構造に関するものである。
【背景技術】
【０００２】
従来、空気吸込口にパネルを設けた空気調和機において、室内ユニット前面の下側に吹き出しグリルを設け、前記吹き出しグリルの上方に、空気吸込口を開閉する前面パネルを設け、本体に内蔵された開閉装置で前面パネルを前後方向に開閉するものがあった。
【０００３】
この空気調和機は本体前面の下側に吹き出しグリルを設け、その吹き出しグリルの上方に、空気吸込口を開閉する前面パネル設け、本体に内蔵された開閉装置で前面パネルを前後方向に開閉する構成になっている（例えば、特許文献１参照）。
【特許文献１】特開平０４−０８４０４２号公報
【発明の開示】
【発明が解決しようとする課題】
【０００４】
しかしながら、上記のような前面パネルを前後に開閉するものにあっては、空気吸込み量を十分確保するためにある程度の開口面積が不可欠であるという課題を有していた。
【０００５】
一方、開口面積を確保するために、モータや回転ギアを組み合わせて構成された開閉機構により、前面パネルを前方上方向に開閉する機構であると、パネル開閉時にリンク機構部に大きなトルクが発生し、パネル部を持ち上げようとする力が過大に発生し、パネルが跳ね上がってしまう。
【０００６】
本発明は、前記従来の課題を解決するもので、前面パネルを開閉動作させる駆動ギアにより、パネル閉時にパネルが引き寄せられると同時に上へ跳ね上がるのを防止した空気調和機の室内ユニットを提供することを目的とする。
【課題を解決するための手段】
【０００７】
前記従来の課題を解決するために、本発明は吸入グリルに具備する開閉軸を固定する円弧状の固定リブに対向して前面枠に当てリブを設けたものである。
【０００８】
これによって、前面パネルの閉動作時においてモータや回転ギアを組み合わせて構成された開閉機構により、吸入グリルが前面枠に引き寄せられても上へ跳ね上がるのを防止したものである。
【発明の効果】
【０００９】
本発明によれば、吸入グリルに具備する開閉軸を固定する円弧状の固定リブに対向して前面枠に当てリブを設けたことにより、前面パネルの閉動作時においてがモータや回転ギアを組み合わせて構成された開閉機構により、吸入グリルが駆動ギアによって前面枠に引き寄せられても吸入グリルに具備する開閉軸を固定する円弧状の固定リブが前面枠の当てリブに当接し吸入グリルが上へ跳ね上がることを防止することができる。
【発明を実施するための最良の形態】
【００１０】
第１の発明は、前面枠と開閉動作を行う前面パネルを備え付けた吸入グリルで構成し、前面パネルの閉動作時においてモータや回転ギアを組み合わせて構成された開閉機構により、吸入グリルに具備する開閉軸を固定する円弧状の固定リブに対向して前面枠に当てリ
ブを設けたことにより吸入グリルが上へ跳ね上がることを防止しすることができる。
【００１１】
第２の発明は、特に、第１の発明の前面枠に設けた当てリブに相対して吸入グリルに具備する開閉軸を押さえ込むように前面枠に受けリブを設けたことにより、前面パネルの閉動作時において開閉軸が上へ跳ね上がることを防止しすることができる。
【００１２】
第３の発明は、特に、第１の発明の前面枠に設けた当てリブが開閉軸を固定する円弧状の固定リブの略上面部に当接しなおかつ当接面より下側は傾斜面をもつことにより吸入グリルが上へ跳ね上がることを防止しすることができる。
【００１３】
第４の発明は、特に、第１の発明の前面枠に設けた当てリブに相対して吸入グリルに具備する開閉軸を押さえ込むように前面枠に設けた受けリブが、開閉軸と略同円弧状であることにより、開閉軸が上へ跳ね上がることを防止しすることができる。
【００１４】
第５の発明は、特に、第１の発明の前面枠の当てリブの当接面が開閉軸を固定する円弧状の固定リブの回転中心である支点を中心に回動したときに、開閉軸の中心軸が当てリブの頂点よりも下位に位置し回転軌跡と略同面としたことより、吸入グリルが上へ跳ね上がることを防止しすることができなおかつ、スムーズに開閉することができる。
【００１５】
第６の発明は、特に、第１の発明の前面枠に設けた開閉軸を押え込む受けリブの略円弧状の面を、回転中心である支点を中心に開閉軸が回動したとき、開閉軸の中心軸が受けリブの頂点よりも下位に位置し回転軌跡と略同面としたことにより、開閉軸が上へ跳ね上がることを防止しすることができる。
【００１６】
以下、本発明の実施の形態について、図面を参照しながら説明する。なお、この実施の形態によって本発明が限定されるものではない。
【００１７】
（実施の形態１）
図３は、本発明における空気調和機の室内ユニットである。
【００１８】
図１は、本発明の第１の実施の形態における前面枠１の当てリブ１ａ、受けリブ１ｂと吸入グリル２及び開閉軸４と開閉軸４を固定する固定リブ５の図を示すものである。
【００１９】
図１において、前面枠１に設けた当てリブ１ａに当接するように開閉軸４を固定する固定リブ５があり、前面枠１に設けた当てリブ１ａに相対して吸入グリル２に具備する開閉軸４を押さえ込む受けリブ１ｂを設けたものであり、前面枠１と有機的に関連して外郭の一部を構成している。
【００２０】
以上のように構成された前面枠１の当てリブ１ａと受けリブ１ｂについて、以下その動作、作用を説明する。
【００２１】
まず、前面枠１に前面パネル３を備え付けた吸入グリル２とで構成する空気調和機の室内ユニットにおいて、吸入グリル２に具備する開閉軸４を固定する円弧状の固定リブ５に対向して前面枠１に当てリブ１ａを設け、なおかつ前面枠１に当てリブ１ａに相対して吸入グリル２に具備する開閉軸４を押え込むように前面枠１に受けリブ１ｂを配置した構成とし、前面パネル３の閉動作時において、モータや回転ギアを組み合わせて構成された開閉機構により、前面パネル３を備え付けた吸入グリル２が開閉動作を伝える駆動ギアにより前面枠１に引き寄せられるように構成されている。
【００２２】
以上のように、本実施の形態においては前面パネル３の閉動作時において、吸入グリル
２に具備する開閉軸４を固定する円弧状の固定リブ５が前面枠１の当てリブ１ａに当接することにより、吸入グリル２が前面枠１に引き寄せられることを防止しなおかつ上へ上がることを防止することができる。又、前面枠１に受けリブ１ｂを配置したことにより、吸入グリル２に具備する開閉軸４の浮き上がりも防止することができる。
【００２３】
図２は、前面枠１の当てリブ１ａ開閉軸４を固定する円弧状の固定リブ５の略上面部に当接しなおかつ当接面より下側は傾斜面をもつ形状とすることにより、吸入グリル２が前面枠１に引き寄せられることを防止し、なおかつ上へ上がることを防止することができる。
【００２４】
前面枠１の受けリブ１ｂは、開閉軸４を押え込む面が開閉軸４と略同円弧状の形状にすることにより、吸入グリル２が前面枠１に引き寄せられ開閉軸４が、上へ跳ね上がることを防止することができる。
【００２５】
開閉軸４を固定する円弧状の固定リブ５が回転中心である支点を中心に回動するときに開閉軸４の中心軸が当てリブ１ａの頂点よりも下位に位置し、前面枠１の当てリブ１ａの当接面が、回転中心である支点を中心に回動したときの回転軌跡と略同面とし、なおかつ開閉軸４を押え込む受けリブ１ｂの略円弧状の面が、回転中心である支点を中心に回動したときに開閉軸４の中心軸が受けリブ１ｂの頂点よりも下位に位置し、回転軌跡と略同面である形状にすることにより、同じ効果を得ることができる。
【産業上の利用可能性】
【００２６】
以上のように、本発明にかかる空気調和機の室内ユニットは、前面パネルを備え付けた吸入グリルで構成し、前面パネルの閉動作時においてモータや回転ギアを組み合わせて構成された開閉機構により、吸入グリルに具備する開閉軸を固定する円弧状の固定リブに対向して前面枠に当てリブを設けたことにより吸入グリルが上へ上がることを防止しすることが可能となるので、開閉構造にギアとリンクを組合わせた駆動部を構成する構造体等の用途にも適用できる。
【図面の簡単な説明】
【００２７】
【図１】本発明の実施の形態における前面枠の当てリブと受けリブの断面Ａ−Ａ図
【図２】本発明における当てリブと受けリブの断面Ａ−Ａ詳細図
【図３】本発明の空気調和機室内ユニットの斜視図
【符号の説明】
【００２８】
１  前面枠
１ａ  当てリブ
１ｂ  受けリブ
２  吸入グリル
３  前面パネル
４  開閉軸
５  固定リブ
【図１】
2005147617.tif 000003
【図２】
2005147617.tif 000004
【図３】
2005147617.tif 000005